(57)【要約】【課題】小口現金等の、貨幣の管理を容易にする。【解決手段】貨幣処理装置（出納機１０）は、貨幣を収納する収納部と、収納部内から繰り出した貨幣を出金する動作、及び、入金した貨幣を収納部へ収納する動作を行うと共に、貨幣の入出金の情報を記憶部５５に記憶させて管理する出納処理を実行する制御部と、を備える。制御部は、第１の出納処理と、第１の出納処理から独立した第２の出納処理とを実行し、制御部はまた、操作者の選択操作に応じて、第１の出納処理の実行と、第２の出納処理の実行とを切り替える。【選択図】図２
2020004228.tif 000002
【特許請求の範囲】
【請求項１】
貨幣を収納する収納部と、
前記収納部内から繰り出した前記貨幣を出金する動作、及び、入金した前記貨幣を前記収納部へ収納する動作を行うと共に、前記貨幣の入出金の情報を記憶部に記憶させて管理する出納処理を実行する制御部と、を備え、
前記制御部は、第１の出納処理と、前記第１の出納処理から独立した第２の出納処理とを実行し、
前記制御部はまた、操作者の選択操作に応じて、前記第１の出納処理の実行と、前記第２の出納処理の実行とを切り替える貨幣処理装置。
【請求項２】
前記制御部は、前記第１の出納処理の実行時、及び、前記第２の出納処理の実行時のそれぞれにおいて、同じ収納部に対し、前記貨幣の繰り出し及び収納を行う請求項１に記載の貨幣処理装置。
【請求項３】
前記操作者の認証を行う認証部を備え、
前記制御部は、前記第１の出納処理に関して予め設定されている権限情報と認証結果とに基づいて前記第１の出納処理の実行の可否を切り替えると共に、前記第２の出納処理に関して予め設定されている権限情報と認証結果とに基づいて前記第２の出納処理の実行の可否を切り替える請求項１又は２に記載の貨幣処理装置。
【請求項４】
前記制御部は、前記第２の出納処理の集計を行うと共に、集計結果を出力する請求項１〜３のいずれか１項に記載の貨幣処理装置。
【請求項５】
前記制御部は、前記第２の出納処理として、小口現金の出納処理を実行する請求項１〜４のいずれか１項に記載の貨幣処理装置。
【請求項６】
前記制御部は、前記小口現金の出納処理において、所定の期間内に出金された貨幣の補給を行うときに、前記貨幣の収納動作を行わずに、前記記憶部が記憶している、前記第１の出納処理における前記貨幣の在高データから、前記第２の出納処理における前記貨幣の在高データへ、補給分の貨幣情報を移動させる請求項５に記載の貨幣処理装置。
【請求項７】
貨幣を収納する収納部を有しかつ、前記収納部内から繰り出した前記貨幣を出金する動作、及び、入金した前記貨幣を前記収納部へ収納する動作を行う貨幣処理装置と、
前記貨幣処理装置に接続されかつ、前記貨幣処理装置の入金動作及び出金動作に伴って、前記貨幣の入出金の情報を記憶部に記憶させて管理する出納処理を実行する管理装置と、を備え、
前記管理装置は、第１の出納処理と、前記第１の出納処理から独立した第２の出納処理とを実行し、
前記管理装置はまた、操作者の選択操作に応じて、前記第１の出納処理の実行と、前記第２の出納処理の実行とを切り替える貨幣処理システム。
【発明の詳細な説明】
【技術分野】
【０００１】
ここに開示する技術は、貨幣処理装置及び貨幣処理システムに関する。
【背景技術】
【０００２】
特許文献１には、百貨店やショッピングセンター等の大型店に設けられる売上金入金・釣銭準備金出金処理システムが記載されている。この処理システムでは、操作者が、レジ装置に対して設けられたＩＤカードを使い貨幣入出金機において認証操作を行うと、レジ装置から取り出した現金を売上金として貨幣入出金機に入金することができると共に、翌日の釣銭準備金を、貨幣入出金機に入金することができる。このように貨幣入出金機は、売上げを管理する出納処理を実行する。
【先行技術文献】
【特許文献】
【０００３】
【特許文献１】特開２００８−１９１８６１号公報
【発明の概要】
【発明が解決しようとする課題】
【０００４】
ところで、百貨店やショッピングセンサー等の小売店舗、又は、乗車券類発売所を有する駅等の施設においては、売上げの管理とは別に、小売店舗や施設の運営に必要となる現金を、いわゆる「小口現金」として管理する場合がある。
【０００５】
小口現金は、担当者が、現金を入れる金庫と、現金の収支を記入する台帳とを使って、日単位、週単位、又は月単位で管理することが多い。担当者は、例えば月末や月初めに、ひと月の間に使った総額を集計すると共に、それと同額の現金を、次のひと月分として補給する。これにより、月初めには、小口現金が、予め定めた額になる。
【０００６】
ところが、担当者が、金庫と台帳とを使って、小口現金を手管理することは、担当者の作業負担が大きいと共に、管理ミスが発生してしまう恐れがある。また、現金の保管も行わなければならないため、担当者の心理的な負担も大きくなってしまう。
【０００７】
ここに開示する技術は、小口現金等の、貨幣の管理を容易にする。
【課題を解決するための手段】
【０００８】
ここに開示する技術は、貨幣処理装置に係る。この貨幣処理装置は、貨幣を収納する収納部と、前記収納部内から繰り出した前記貨幣を出金する動作、及び、入金した前記貨幣を前記収納部へ収納する動作を行うと共に、前記貨幣の入出金の情報を記憶部に記憶させて管理する出納処理を実行する制御部と、を備え、前記制御部は、第１の出納処理と、前記第１の出納処理から独立した第２の出納処理とを実行し、前記制御部はまた、操作者の選択操作に応じて、前記第１の出納処理の実行と、前記第２の出納処理の実行とを切り替える。
【０００９】
この構成によると、貨幣処理装置は、貨幣の出金及び入金を伴う第１の出納処理と、貨幣の出金及び入金を伴う第２の出納処理とを、操作者の選択操作に応じて、独立して行うことができる。操作者は、一台の貨幣処理装置を使って、二種類の出納処理を管理することができる。
【００１０】
前記制御部は、前記第１の出納処理の実行時、及び、前記第２の出納処理の実行時のそれぞれにおいて、同じ収納部に対し、前記貨幣の繰り出し及び収納を行う、としてもよい。
【００１１】
第１の出納処理及び第２の出納処理に対応して収納部を分けないため、貨幣処理装置がコンパクトになると共に、貨幣処理装置の構成が簡略化する。
【００１２】
前記貨幣処理装置は、前記操作者の認証を行う認証部を備え、前記制御部は、前記第１の出納処理に関して予め設定されている権限情報と認証結果とに基づいて前記第１の出納処理の実行の可否を切り替えると共に、前記第２の出納処理に関して予め設定されている権限情報と認証結果とに基づいて前記第２の出納処理の実行の可否を切り替える、としてもよい。
【００１３】
第１の出納処理を行うための権限と、第２の出納処理を行うための権限とを区別することにより、貨幣処理装置を用いた、二種類の出納処理の管理のそれぞれを適切に行うことができる。
【００１４】
前記制御部は、前記第２の出納処理の集計を行うと共に、集計結果を出力する、としてもよい。
【００１５】
こうすることで、操作者は、第２の出納処理を、容易にかつ適切に管理することが可能になる。
【００１６】
前記制御部は、前記第２の出納処理として、小口現金の出納処理を実行する、としてもよい。
【００１７】
操作者は、貨幣処理装置を利用して、小口現金の出納処理を適切に行うことができる。操作者、つまり担当者は、小口現金を手管理する必要がなくなる。
【００１８】
前記制御部は、前記小口現金の出納処理において、所定の期間内に出金された貨幣の補給を行うときに、前記貨幣の収納動作を行わずに、前記記憶部が記憶している、前記第１の出納処理における前記貨幣の在高データから、前記第２の出納処理における前記貨幣の在高データへ、補給分の貨幣情報を移動させる、としてもよい。
【００１９】
小口現金の補給に際し、収納部へ貨幣を入金しなくても、制御部が、記憶部が記憶している在高データ上で資金の補給を行うことにより、操作者は貨幣（現金）の管理を行わなくてもよくなるから、操作者の負担を軽減することができる。
【００２０】
ここに開示する技術はまた、貨幣処理システムに係る。貨幣処理システムは、貨幣を収納する収納部を有しかつ、前記収納部内から繰り出した前記貨幣を出金する動作、及び、入金した前記貨幣を前記収納部へ収納する動作を行う貨幣処理装置と、前記貨幣処理装置に接続されかつ、前記貨幣処理装置の入金動作及び出金動作に伴って、前記貨幣の入出金の情報を記憶部に記憶させて管理する出納処理を実行する管理装置と、を備え、前記管理装置は、第１の出納処理と、前記第１の出納処理から独立した第２の出納処理とを実行し、前記管理装置はまた、操作者の選択操作に応じて、前記第１の出納処理の実行と、前記第２の出納処理の実行とを切り替える。
【発明の効果】
【００２１】
以上説明したように、前記の貨幣処理装置及び貨幣処理システムによると、貨幣の管理が容易になる。
【図面の簡単な説明】
【００２２】
【図１】図１は、貨幣処理システムの全体構成を例示する図である。
【図２】図２は、出納機の構成を例示するブロック図である。
【図３】図３は、バラ紙幣処理部の構成を例示する模式図である。
【図４】図４は、帯封紙幣処理部の構成を例示する模式図である。
【図５】図５は、バラ硬貨処理部の構成を例示する模式図である。
【図６】図６は、包装硬貨処理部の構成を例示する模式図である。
【図７Ａ】図７Ａは、出納機の制御手順の一部を例示するフローチャートである。
【図７Ｂ】図７Ｂは、出納機の制御手順の一部を例示するフローチャートである。
【図８】図８は、メインメニュー画面を例示する図である。
【図９】図９は、認証エラー画面を例示する図である。
【図１０】図１０は、小口現金処理のメニュー画面を例示する図である。
【図１１】図１１は、小口入金処理時に表示される現金投入画面を例示する図である。
【図１２】図１２は、小口入金処理時に表示される小計画面を例示する図である。
【図１３】図１３は、小口出金処理時に表示される小計画面を例示する図である。
【図１４】図１４は、小口出金処理時に表示される摘要選択画面を例示する図である。
【図１５】図１５は、小口出金処理時に表示される現金抜き取り画面を例示する図である。
【図１６】図１６は、小口現金集計処理時に表示される集計範囲設定画面を例示する図である。
【図１７】図１７は、小口現金集計処理時に表示される集計結果画面を例示する図である。
【図１８】図１８は、小口現金集計処理時に発行される小口現金書留簿を例示する図である。
【図１９】図１９は、小口現金集計処理時に発行されるレシートを例示する図である。
【図２０】図２０は、小口現金処理における補給時の、データ管理を説明する概念図である。
【図２１】図２１は、管理コンピュータが出納機に、担当者情報を配信する構成を説明する概念図である。
【図２２】図２２は、担当者情報を受信した出納機の制御内容を説明する図である。
【図２３】図２３は、担当者情報の更新に関して、出納機に表示される画面を例示する図である。
【図２４】図２４は、出納機において回収を行う順番と、回収ができないときの代替回収を説明する図である。
【図２５】図２５は、残置回収処理時に、金種毎の回収枚数を表示する明細画面を例示する図である。
【図２６】図２６は、出金処理時に表示される画面を例示する図である。
【発明を実施するための形態】
【００２３】
以下、貨幣処理装置及び貨幣処理システムの実施形態を図面に基づいて詳細に説明する。以下の説明は、貨幣処理装置及び貨幣処理システムの一例である。
【００２４】
図１は、貨幣処理システム１の構成例を示している。貨幣処理システム１は、様々な施設（例えば鉄道の駅のバックオフィス）や、小売店舗などに構築されている。ここでは、貨幣処理システム１は、鉄道の駅のバックオフィスに構築されているとする。貨幣処理システム１は、駅の乗車券類発売所における売上金を入金したり、釣銭準備金を出金したりするときに用いられる。
【００２５】
貨幣処理システム１は、貨幣処理装置としての出納機１０と、管理コンピュータ７１と、ネットワーク９と、を備えている。
【００２６】
ネットワーク９は、出納機１０、及び、管理コンピュータ７１を互いに接続している。出納機１０、及び、管理コンピュータ７１は互いに、ネットワーク９を通じて信号の送受信が可能である。
【００２７】
尚、符号７２、７３はそれぞれ、タブレット端末７２及びスマートフォン７３によって構成される携帯端末である。これらの携帯端末は、管理コンピュータ７１と無線により通信可能に構成されている。これらの携帯端末も、貨幣処理システム１を構成する。
【００２８】
管理コンピュータ７１は、貨幣処理システム１の管理を行うよう構成されている。出納機１０は、取引に関する情報を、管理コンピュータ７１に出力する。また、操作者は、管理コンピュータ７１に接続したタブレット端末７２及びスマートフォン７３を利用して、出納機１０に関する各種の情報を表示したり、タブレット端末７２及びスマートフォン７３の操作を通じて、出納機１０に対する各種の指示を入力したり、することが可能である。尚、タブレット端末７２又はスマートフォン７３が、出納機１０と直接通信できる構成としてもよい。タブレット端末７２及びスマートフォン７３はまた、貨幣処理システム１において省略することも可能である。
【００２９】
管理コンピュータ７１は、当該貨幣処理システム１とは別のシステム７０に対し接続されている。当該システム７０は、例えば鉄道会社の経理システムである。
【００３０】
（出納機の構成）
出納機１０は、入金処理及び出金処理を伴う出納処理を含む、各種の処理を実行する。図２は、出納機１０の構成を例示するブロック図である。出納機１０は、バラ紙幣処理部１００、帯封紙幣処理部２００、バラ硬貨処理部３００、包装硬貨処理部４００、及び、これらの各処理部１００〜４００を統合制御する制御部２０を含んで構成されている。
【００３１】
バラ紙幣処理部１００は、入金口に投入されたバラ紙幣を、処理装置内の収納部に収納する入金処理や、収納部に収納しているバラ紙幣を、出金口に払い出す出金処理を行うよう構成されている。
【００３２】
図３は、バラ紙幣処理部１００の構成を例示している。バラ紙幣処理部１００には、外部から筐体１０２内に紙幣を投入するためのバラ紙幣入金口１１０及び筐体１０２内から外部にバラ紙幣を投出するためのバラ紙幣出金口１５２が設けられている。紙幣繰出部１１２は、バラ紙幣入金口１１０の紙幣を１枚ずつ筐体１０２内に繰り出す。入金搬送部１１４は、紙幣を１枚ずつ搬送する。入金搬送部１１４に設けられた入金識別部１１６は、搬送される紙幣の金種、真偽、正損、新旧等を識別する。また、入金識別部１１６の紙幣搬送方向下流側には表裏反転部１１８が設けられている。表裏反転部１１８は、入金識別部１１６により識別された紙幣の表裏を揃える。また、入金識別部１１６により、正常な紙幣ではないと識別された紙幣、すなわちリジェクト紙幣は、入金リジェクト部１２０にリジェクトされる。
【００３３】
入金搬送部１１４には、１つの一括一時保留部１３０と、複数の金種別一時保留部１３２とが接続されている。一括一時保留部１３０は、複数金種の紙幣を混合状態で一時的に保留する。各金種別一時保留部１３２は、それぞれ特定の金種の紙幣を一時的に保留する。また、一括一時保留部１３０に対応して１つの一括紙幣収納庫１４０が設けられ、各金種別一時保留部１３２に対応して金種別紙幣収納庫１４２が設けられている。一括紙幣収納庫１４０は、一括一時保留部１３０から送られた紙幣を積層状態で収納する。金種別紙幣収納庫１４２は、対応する金種別一時保留部１３２から送られた紙幣を積層状態で収納する。また、一括紙幣収納庫１４０及び各金種別紙幣収納庫１４２にはそれぞれ紙幣繰出部１４４が設けられている。紙幣繰出部１４４は、一括紙幣収納庫１４０及び各金種別紙幣収納庫１４２の紙幣を１枚ずつ繰り出す。尚、一括紙幣収納庫１４０は、例えば、市場での再利用に適さないと判定された損券や各金種別紙幣収納庫１４２が満杯となって収納できなかった紙幣等を、金種混合状態で収納する。
【００３４】
各紙幣繰出部１４４には下部搬送部１４６が接続されている。下部搬送部１４６は、一括紙幣収納庫１４０や各金種別紙幣収納庫１４２から繰り出された紙幣を１枚ずつ搬送する。下部搬送部１４６には出金識別部１４８が接続されている。出金識別部１４８は、下部搬送部１４６によって搬送される紙幣の金種、真偽、正損、新旧等を識別する。また、出金識別部１４８には出金搬送部１５０が接続されている。出金搬送部１５０には、バラ紙幣出金口１５２、出金リジェクト部１５４、２つの整理一時保留部１６０がそれぞれ接続されている。出金搬送部１５０は、出金識別部１４８により識別された紙幣のうち、筐体１０２の外部に投出される紙幣をバラ紙幣出金口１５２に送り、バラ紙幣出金口１５２内部に集積させる。また、出金搬送部１５０は、出金識別部１４８により正常な紙幣ではないと識別された紙幣、すなわちリジェクト紙幣を、出金リジェクト部１５４に送る。操作者は、出金リジェクト部１５４に集積されたリジェクト紙幣を、バラ紙幣処理部１００の筐体１０２に設けられた扉を開いて取り出すことができる。また、出金搬送部１５０は、出金識別部１４８により識別された紙幣のうち、帯封紙幣処理部２００により結束される紙幣を各整理一時保留部１６０に送る。各整理一時保留部１６０は、出金搬送部１５０から送られた紙幣を集積する。
【００３５】
図示は省略するが、入金搬送部１１４や出金搬送部１５０における分岐箇所にはそれぞれ分岐部材が設けられている。これらの分岐部材は、分岐箇所における紙幣の搬送先を制御する。また、入金搬送部１１４、下部搬送部１４６、出金搬送部１５０には紙幣を検出する紙幣検出センサが複数設けられている。これらの紙幣検出センサの検出信号は、分岐部材による紙幣の搬送先制御のタイミングを決定するために利用される。
【００３６】
帯封紙幣処理部２００は、所定枚数（例えば１００枚）の紙幣を一つに束ねた帯封紙幣を作成しかつ、帯封紙幣を処理装置内に収納するよう構成されていると共に、指定された金種及び束数の帯封紙幣を、処理装置外に出金する処理を行うよう構成されている。
【００３７】
図４は、帯封紙幣処理部２００の構成を例示している。帯封紙幣処理部２００は、バラ紙幣処理部１００内の整理一時保留部１６０に集積された紙幣の束を取り出すためのアーム部２１０と、アーム部２１０によって取り出された紙幣の束を帯封（結束）するための帯封部２１２とを有している。アーム部２１０は、詳細な図示は省略するが、例えば上下一対のアーム（上アーム及び下アーム）から構成されている。アーム部２１０は、整理一時保留部１６０に集積された紙幣の束を、上下一対のアームで上下方向から挟んで整理一時保留部１６０から取り出す。帯封部２１２の近傍にはテープセット部２１４が設けられている。帯封部２１２は、テープセット部２１４から帯封部２１２に送られた帯封紙によって、例えば１００枚の紙幣の束を帯封する。帯封部２１２には帯封紙幣搬送部２１６が接続されている。帯封紙幣搬送部２１６は、帯封部２１２により帯封された束紙幣を帯封紙幣出金口２１８に搬送する。帯封紙幣出金口２１８は帯封紙幣処理部２００の筐体２０２の外部からアクセス可能となっている。操作者は、この帯封紙幣出金口２１８に送られた束紙幣を筐体２０２外から取り出すことができる。
【００３８】
また、帯封紙幣出金口２１８には帯封紙幣搬送部２２０やリフト部２２４が接続されている。帯封紙幣搬送部２２０には帯封紙幣判別部２２２が設けられている。帯封紙幣判別部２２２は、帯封紙幣出金口２１８から帯封紙幣搬送部２２０に送られた束紙幣の金種等の判別を行う。また、帯封紙幣搬送部２２０には、複数の金種別帯封紙幣収納カセット２３０と、１つの一括帯封紙幣収納カセット２３１とが接続されている。各金種別帯封紙幣収納カセット２３０は、帯封紙幣出金口２１８により筐体２０２の外部に投出されない束紙幣を金種別に収納する。各金種別帯封紙幣収納カセット２３０にはカセット駆動部２３２が設けられている。カセット駆動部２３２は、各金種別帯封紙幣収納カセット２３０に収納された束紙幣を、金種別帯封紙幣収納カセット２３０から繰り出して帯封紙幣搬送部２２０に戻すことができる。帯封紙幣搬送部２２０は、各金種別帯封紙幣収納カセット２３０から繰り出された束紙幣を帯封紙幣出金口２１８に送って、筐体２０２の外部に投出する。また、リフト部２２４は、帯封紙幣出金口２１８に送られた束紙幣を上下方向に搬送することができる。リフト部２２４の下部には束紙幣回収用の帯封紙幣投出口２２１が設けられている。リフト部２２４が束紙幣を帯封紙幣投出口２２１に搬送すると、束紙幣は、帯封紙幣投出口２２１から筐体２０２の外部に投出される。
【００３９】
一括帯封紙幣収納カセット２３１は、金種別帯封紙幣収納カセット２３０が満杯となって収納できなかった束紙幣を、金種混合状態で収納する。一括帯封紙幣収納カセット２３１は、帯封紙幣処理部２００の筐体２０２から取り外すことが可能に構成されている。一括帯封紙幣収納カセット２３１の束紙幣を回収するときに、操作者は、一括帯封紙幣収納カセット２３１を筐体２０２から取り外して、一括帯封紙幣収納カセット２３１内の束紙幣を手で取り出すことになる。
【００４０】
バラ硬貨処理部３００は、入金口に投入されたバラ硬貨を、処理装置内の収納部に収納する入金処理や、収納部に収納しているバラ硬貨を、出金口に払い出す出金処理を行うよう構成されている。
【００４１】
図５は、バラ硬貨処理部３００の構成を例示している。バラ硬貨処理部３００の筐体３０２上部には、バラ硬貨を外部から受け入れるバラ硬貨入金口３１０と、このバラ硬貨入金口３１０から、装置内で硬貨を搬送する搬送路上に１枚ずつ硬貨を繰り出す硬貨繰出部３１２と、搬送路を搬送される硬貨の金種、真偽、正損、新旧等を識別する入金識別部３１４が配置されている。入金識別部３１４により識別された硬貨は、硬貨選別部３２０に搬送される。硬貨選別部３２０は、識別結果に基づいて硬貨を選別する。硬貨選別部３２０は、正常な硬貨ではないと識別された硬貨、すなわちリジェクト硬貨を、入金リジェクト口３２２にリジェクトする。
【００４２】
硬貨選別部３２０には１つの一括一時保留部３３０と、複数の金種別一時保留部３３２とがそれぞれ接続されている。一括一時保留部３３０は、複数金種の硬貨を混合状態で一時的に保留し、各金種別一時保留部３３２は、それぞれ特定の金種の硬貨を一時的に保留する。また、一括一時保留部３３０に対応して１つの一括硬貨収納庫３４０が設けられ、各金種別一時保留部３３２に対応して金種別硬貨収納庫３４２が設けられている。
【００４３】
入金処理時に、入金硬貨を識別して一時保留した状態で入金が確定されると、一括一時保留部３３０は、保留している硬貨を一括硬貨収納庫３４０へ送り、金種別一時保留部３３２は、保留している硬貨を金種別硬貨収納庫３４２へ送る。一括硬貨収納庫３４０は、硬貨を収納し、金種別一時保留部３３２は、硬貨を収納する。入金処理がキャンセルされた場合には、一括一時保留部３３０及び金種別一時保留部３３２は、保留している硬貨を、返却回収箱３２８へ送る。操作者は、返却回収箱３２８の硬貨を取り出すことができる。尚、一括硬貨収納庫３４０は、例えば、市場での再利用に適さないと判定された損貨や各金種別硬貨収納庫３４２が満杯となって収納できなかった硬貨等が、金種混合状態で収納される。一括硬貨収納庫３４０は、バラ硬貨処理部３００の筐体３０２から取り外すことが可能に構成されている。一括硬貨収納庫３４０の硬貨を回収するときに、操作者は、一括硬貨収納庫３４０を筐体３０２から取り外して、一括硬貨収納庫３４０内のバラ硬貨を手で取り出すことになる。
【００４４】
各金種別硬貨収納庫３４２にはそれぞれ硬貨繰出部３４４が設けられている。硬貨繰出部３４４は、各金種別硬貨収納庫３４２の硬貨を１枚ずつ繰り出す。各硬貨繰出部３４４にはバラ硬貨搬送部３５０が接続されており、各金種別硬貨収納庫３４２から繰り出された硬貨がバラ硬貨搬送部３５０により搬送される。
【００４５】
バラ硬貨搬送部３５０に繰り出された硬貨を袋取シュート部３２４から回収する場合に、硬貨は、バラ硬貨搬送部３５０から入金識別部３１４へ搬送される。袋取シュート部３２４には硬貨袋を取り付けられるようになっており、入金識別部３１４により枚数計数された硬貨は、硬貨選別部３２０から袋取シュート部３２４へ送られて、硬貨袋内へ回収される。
【００４６】
一方、バラ硬貨搬送部３５０に繰り出された硬貨をバラ硬貨出金口３７０から出金する場合に、硬貨は、バラ硬貨搬送部３５０から出金識別部３５２へ搬送される。出金識別部３５２では、バラ硬貨搬送部３５０から搬送される硬貨の金種、真偽、正損、新旧等が識別される。出金識別部３５２には出金一時保留部３５４が接続されており、出金識別部３５２により識別された硬貨は出金一時保留部３５４に搬送される。出金一時保留部３５４には出金リジェクト箱３５６及び出金箱３６０が接続されており、出金識別部３５２による識別結果に基づいて、出金対象となる硬貨は出金箱３６０へ収納され、リジェクト硬貨は出金リジェクト箱３５６へ収納される。出金箱３６０は上下に移動可能に設けられており、出金対象となる全ての硬貨が収納された後、上方へ移動してバラ硬貨出金口３７０から硬貨を出金する。出金リジェクト箱３５６内のリジェクト硬貨は、筐体３０２に設けられた扉を開いて取り出せるようになっている。
【００４７】
金種別硬貨収納庫３４２に収納された硬貨により包装硬貨を作成する場合には、硬貨繰出部３４４によって金種別硬貨収納庫３４２から繰り出された硬貨が、受渡バラ硬貨収納部３８０に収納される。
【００４８】
包装硬貨処理部４００は、所定枚数（例えば５０枚）の硬貨を円筒形状に包装した包装硬貨を作成しかつ、包装硬貨を処理装置内に収納するよう構成されていると共に、指定された金種及び本数の包装硬貨を、処理装置外に出金する処理を行うよう構成されている。
【００４９】
図６は、包装硬貨処理部４００の構成を例示している。包装硬貨処理部４００では、受渡バラ硬貨収納部３８０に収納された硬貨が硬貨繰出部４１０によって繰り出されて硬貨包装部４２０へ搬送される。硬貨包装部４２０は、所定枚数（例えば５０枚）の硬貨を包装した包装硬貨を作成する。硬貨包装部４２０は、硬貨繰出部４１０によって繰り出された硬貨が所定枚数に達しなかった場合、作成した包装硬貨の長さが所定値を超えるために異常であると判断した場合に、これらを端数箱４３０へ収納する。操作者は、端数箱４３０に収納された硬貨を、筐体４０２に設けられた扉を開いて取り出すことができる。
【００５０】
所定枚数の硬貨を包装して正常に包装硬貨が作成された場合には、硬貨包装部４２０は、包装硬貨を包装硬貨搬送部４４０へと送る。包装硬貨搬送部４４０は、包装硬貨の金種に対応する金種別包装硬貨収納庫４５０へ包装硬貨を送り、金種別包装硬貨収納庫４５０は、包装硬貨を収納する。また、包装硬貨搬送部４４０は、硬貨包装部４２０によって作成した包装硬貨を、包装硬貨一括箱４６０、包装硬貨出金口４８０又は包装硬貨投出口４７０へ搬送することもできる。包装硬貨は、包装硬貨出金口４８０又は包装硬貨投出口４７０を通じて、外部に排出される。
【００５１】
また、金種別包装硬貨収納庫４５０は、収納している包装硬貨を、包装硬貨搬送部４４０へ繰り出すことができる。包装硬貨搬送部４４０が、金種別包装硬貨収納庫４５０から繰り出された包装硬貨を、包装硬貨出金口４８０又は包装硬貨投出口４７０へ搬送することによって、包装硬貨を、包装硬貨出金口４８０又は包装硬貨投出口４７０を通じて、外部に排出することもできる。
【００５２】
尚、包装硬貨一括箱４６０は、例えば各金種別包装硬貨収納庫４５０が満杯となって収納できなかった包装硬貨が、金種混合状態で収納される。包装硬貨一括箱４６０は、包装硬貨処理部４００の筐体４０２から取り外すことが可能に構成されている。包装硬貨一括箱４６０の包装硬貨を回収するときに、操作者は、包装硬貨一括箱４６０を筐体４０２から取り外して、包装硬貨一括箱４６０内の包装硬貨を手で取り出すことになる。
【００５３】
制御部２０は、バラ紙幣処理部１００、帯封紙幣処理部２００、バラ硬貨処理部３００、包装硬貨処理部４００を制御することによって、貨幣の出入の管理を行う。
【００５４】
出納機１０はまた、第１ターミナル５１、第２ターミナル５２、第１プリンタ５３、第２プリンタ５４、記憶部５５、及び、通信部５６を備えている。
【００５５】
図１に示すように、第１ターミナル５１は、包装硬貨処理部４００の上面に配置されており、第２ターミナル５２は、帯封紙幣処理部２００の上面に配置されている。第１ターミナル５１及び第２ターミナル５２は同じ構成を有している。第１ターミナル５１及び第２ターミナル５２はそれぞれ、例えばタッチパネル式の表示操作部を有し、操作者に向けて情報を表示すると共に、操作者の操作を受け付ける。表示操作部は、表示を行う表示部と、操作者の操作を受け付ける操作部とに分けてもよい。第１ターミナル５１及び第２ターミナル５２はまた、操作者の認証を行うために、カード情報を読み取るカードリーダを有している。尚、以下の説明において、第１ターミナル５１及び第２ターミナル５２を総称する場合は、単にターミナル５と呼ぶ場合がある。
【００５６】
第１プリンタ５３は、例えばインクジェットプリンタによって構成されかつ、帳票の印刷を行う。第１プリンタ５３は、例えばバラ紙幣処理部１００の上面に配置されている。第２プリンタ５４は、例えば感熱式プリンタによって構成されている。第２プリンタ５４は、各種のレシートの印刷を行う。第２プリンタ５４は、例えばバラ硬貨処理部３００の上面に配置されている。
【００５７】
記憶部５５は、例えばハードディスクドライブや、不揮発性メモリによって構成されている。記憶部５５は、制御部２０に対して、信号の授受可能に接続されている。記憶部５５は、出納機１０が実行をした各種の処理に関する情報（つまり、ログ情報）、並びに、出納機１０において収納している紙幣及び硬貨の在高情報を記憶している。記憶部５５はまた、出納機１０を使用する操作者の権限に関する情報（つまり、担当者情報）も記憶している。
【００５８】
通信部５６は、ネットワーク９を介して管理コンピュータ７１との間における通信を行う。通信部５６は、制御部２０に対して、信号の授受可能に接続されている。
【００５９】
（出納機の出納処理）
出納機１０は、出納処理を実行するが、その出納処理として、第１の出納処理と、第１の出納処理とは独立した第２の出納処理とを行うことが可能に構成されている。第１の出納処理は、この構成例においては、貨幣処理システム１が設置されている駅の、乗車券類発売所における売上金の入金及び釣銭準備金の出金を行う出納処理である。第２の出納処理は、貨幣処理システム１が設置されている駅の運営に必要な、いわゆる「小口現金」の入金及び出金を行う出納処理である。
【００６０】
出納機１０の制御部２０は、第１出納処理部２１と、第２出納処理部２２とを含んでいる。第１出納処理部２１、及び、第２出納処理部２２はそれぞれ、所定の機能を実現する制御部２０の機能ブロックである。
【００６１】
第１出納処理部２１は、第１の出納処理として、操作者がターミナル５を操作することに従い、バラ紙幣処理部１００、及び／又は、バラ硬貨処理部３００に、バラ紙幣、及び／又は、バラ硬貨を入金する処理を行ったり、バラ紙幣処理部１００、帯封紙幣処理部２００、バラ硬貨処理部３００、及び／又は、包装硬貨処理部４００から、バラ紙幣、帯封紙幣、バラ硬貨、及び／又は、包装硬貨を出金する処理を行ったりする。第１出納処理部２１はまた、第１の出納処理に係る貨幣の入出金の情報を、記憶部５５に記憶させて管理する。
【００６２】
同様に第２出納処理部２２は、第２の出納処理として、操作者がターミナル５を操作することに従い、バラ紙幣処理部１００、及び／又は、バラ硬貨処理部３００に、バラ紙幣、及び／又は、バラ硬貨を入金する処理を行ったり、バラ紙幣処理部１００、帯封紙幣処理部２００、バラ硬貨処理部３００、及び／又は、包装硬貨処理部４００から、バラ紙幣、帯封紙幣、バラ硬貨、及び／又は、包装硬貨を出金する処理を行ったりする。第２出納処理部２２はまた、第２の出納処理に係る貨幣の入出金の情報を、記憶部５５に記憶させて管理する。
【００６３】
記憶部５５は、第１の出納処理に係るログ情報と、第２の出納処理に係るログ情報とを区別して記憶していると共に、第１の出納処理に係る貨幣の在高情報と、第２の出納処理に係る貨幣の在高情報と区別して記憶している。尚、以下の説明においては、第１の出納処理に係る貨幣の在高情報を、収支現金在高情報と呼び、第２の出納処理に係る貨幣の在高情報を、小口現金在高情報と呼ぶ場合がある。
【００６４】
次に、図７Ａ及び７Ｂのフローを参照しながら、制御部２０が実行する、出納機１０の制御（主に、小口現金処理に係る制御）について説明をする。先ずスタート後のステップＳ７１において、制御部２０は、ターミナル５に待機画面（図示省略）を表示する。続くステップＳ７２において、制御部２０は、認証処理を行う。前述したように操作者が、ターミナル５のカードリーダにカード情報を読み取らせる操作を行うことにより、制御部２０は、カード情報を読み取って、操作者の認証を行う。
【００６５】
ステップＳ７３において、制御部２０は、認証結果がＯＫであるか否かを判定する。ステップＳ７３の判定がＹＥＳのときには、プロセスはステップＳ７５に進む。ステップＳ７３の判定がＮＯのときには、プロセスは、ステップＳ７４に進む。ステップＳ７４において、制御部２０は、認証ＮＧであることを、ターミナル５を通じて操作者に報知する。プロセスはその後、ステップＳ７２に戻る。
【００６６】
ステップＳ７５において、制御部２０は、ターミナル５にメニュー画面を表示し、操作者に、実行する処理を選択させる。図８は、メニュー画面Ｄ１を例示している。メニュー画面Ｄ１には、操作者が選択することが可能な処理が表示されている。メニュー画面Ｄ１に表示されている処理の内、「入金」「出金」は、第１の出納処理に係る「入金処理」及び「出金処理」である。「小口現金」は、第２の出納処理に係る処理（つまり、小口現金処理）である。
【００６７】
ステップＳ７６において、制御部２０は、小口現金処理が選択されたか否かを判定する。小口現金処理が選択されたときには、プロセスはステップＳ７７に進む（図７Ｂ参照）。一方、小口現金処理が選択されなかったときには、プロセスはステップＳ７１５に進む。
【００６８】
ここで、操作者権限について説明する。この出納機１０は、前述の通り、第１の出納処理と第２の出納処理とのそれぞれを実行することができる。第１の出納処理を行うための操作者権限と、第２の出納処理を行うための操作者権限とは、別に設定されている。従って、前述した認証処理によって認証ＯＫであった操作者であっても、第２の出納処理を実行する権限を有していない操作者は、「小口現金」を選択しても、第２の出納処理を実行することはできない。制御部２０は、例えば図９に例示するような、認証エラーを表す画面Ｄ２をターミナル５に表示させる。尚、小口現金処理を実行することが可能な操作者は、例えば駅においては、特定の担当者（例えば現場長）である。
【００６９】
図７Ａのフローに戻り、ステップＳ７１５において制御部２０は、小口現金処理以外の処理が選択されたか否かを判定する。ステップＳ７１５の判定がＹＥＳのときには、プロセスはステップＳ７１６に進み、ＮＯのときには、プロセスはステップＳ７１６に進まずに、終了する（図７Ｂ参照）。ステップＳ７１６において制御部２０は、操作者が指定をした処理を実行する。出納機１０は、例えば、第１の出納処理に係る、売上金の入金処理や釣銭準備金の出金処理を実行する。出納機１０が第１の出納処理を実行すると、制御部２０は、第１の出納処理に係るログ情報と共に、貨幣の在高（収支現金在高）を記憶部５５に記憶させる。
【００７０】
メニュー画面Ｄ１において操作者が小口現金処理を選択すると、制御部２０は、図１０に例示する小口現金処理のメニュー画面Ｄ３を、ターミナル５に表示する。このメニュー画面Ｄ３には、「小口入金」「小口出金」「小口現金集計」及び「小口現金書留簿（再出力）のボタンが設けられている。「小口入金」は、第２の出納処理における入金処理を行うボタンであり、「小口出金」は、第２の出納処理における出金処理を行うボタンである。「小口現金集計」は、第２の出納処理の集計処理を行うボタンであり、「小口現金書留簿（再出力）」は、第２の出納処理の集計処理時に作成をした小口現金書留簿を、再出力するためのボタンである。
【００７１】
図７ＢのフローのステップＳ７７において、制御部２０は、メニュー画面Ｄ３において、小口現金入金処理が選択されたか否かを判定する。ステップＳ７７の判定がＹＥＳのときには、プロセスはステップＳ７８に移行する。ＮＯのときには、プロセスはステップＳ７９に移行する。
【００７２】
ステップＳ７８において制御部２０は、小口現金入金処理を実行する。図１１及び図１２は、小口現金入金処理時にターミナル５に表示される画面を例示している。図１１に示す現金投入画面Ｄ４は、操作者に、入金対象の貨幣の投入を案内する画面である。操作者は、現金投入画面Ｄ４の案内に従って、バラ紙幣をバラ紙幣処理部１００及び／又はバラ硬貨をバラ硬貨処理部３００に投入する。貨幣の投入後に、操作者が「計数開始」のボタンを操作すると、バラ紙幣が投入されたバラ紙幣処理部１００及び／又はバラ硬貨が投入されたバラ硬貨処理部３００はそれぞれ、投入された貨幣の計数を行う。
【００７３】
貨幣の計数が完了した後、制御部２０は、ターミナル５に、図１２に例示する小計画面Ｄ５を表示させる。小計画面Ｄ５には、計数結果が表示されている。操作者が、「完了」のボタンを操作すると、制御部２０は、小口現金入金処理のログ情報と共に、入金金額を記憶部５５に記憶させる。ステップＳ７８の小口現金入金処理が終了する。
【００７４】
出納機１０は、小口現金入金処理時に入金された貨幣を、第１の出納処理時に入金された貨幣と分けることなく、同じ収納部に収納をする。その一方で、出納機１０は、小口現金処理に係る貨幣の在高（小口現金在高）と、第１の出納処理に係る貨幣の在高（収支現金在高）とを区別して、記憶部５５に記憶する。
【００７５】
図７ＢのフローのステップＳ７９において、制御部２０は、メニュー画面Ｄ３において、小口現金出金処理が選択されたか否かを判定する。ステップＳ７９の判定がＹＥＳのときには、プロセスはステップＳ７１０に移行する。ＮＯのときには、プロセスはステップＳ７１１に移行する。
【００７６】
ステップＳ７１０において制御部２０は、小口現金出金処理を実行する。図１３、図１４及び図１５は、小口現金出金処理時にターミナル５に表示される画面を例示している。図１３に示す小計画面Ｄ６は、操作者が出金金額を入力する画面である。操作者は、小計画面Ｄ６において、出金対象となる貨幣の、金種別の枚数を入力することができる。小計画面Ｄ６にはまた、その左下に、当日分の入出金金額（「小口入金計」及び「小口出金計」）と、残高とが表示される。操作者が、「完了」のボタンを操作すると、制御部２０は、ターミナル５に摘要選択画面Ｄ７を表示させる。
【００７７】
図１４は、摘要選択画面Ｄ７を例示している。操作者は、摘要選択画面Ｄ７において、摘要を選択（入力）することができる。操作者は、「備品」「会議弁当」等、予め設定されている摘要の候補の中から選択をすることにより、摘要を入力することができる。操作者が、「完了」のボタンを操作すると、出納機１０は出金処理を行う。つまり、指定された金額の貨幣を装置外に払い出す。図１５は、現金抜き取り画面Ｄ８を例示している。操作者は、現金抜き取り画面Ｄ８の案内に従って、貨幣を取り出す。貨幣の取り出しが完了すれば、制御部２０は、小口現金出金処理のログ情報と共に、出金金額及び摘要を、記憶部５５に記憶させる。ステップＳ７１０の小口現金出金処理が終了する。
【００７８】
出納機１０は、小口現金出金処理時に出金する貨幣も、第１の出納処理時に出金する貨幣も、同じ収納部から繰り出す。その一方で、出納機１０は、前述の通り、小口現金処理（第２の出納処理）に係る貨幣の在高（小口現金在高）と、第１の出納処理に係る貨幣の在高（収支現金在高）とを区別して、記憶部５５に記憶する。
【００７９】
ステップＳ７１１において、制御部２０は、メニュー画面Ｄ３において、小口現金集計処理が選択されたか否かを判定する。ステップＳ７１１の判定がＹＥＳのときには、プロセスはステップＳ７１２に移行する。ＮＯのときには、プロセスはステップＳ７１３に移行する。
【００８０】
ステップＳ７１２において制御部２０は、小口現金集計処理を実行する。小口現金集計処理は、操作者が指定した期間内において処理を行った小口現金の入出金の集計を行う処理である。図１６及び図１７は、小口現金集計処理時にターミナル５に表示される画面を例示している。図１６に示す集計範囲設定画面Ｄ９は、操作者が集計を行う期間を設定する画面である。操作者は、日単位、週単位、及び、月単位等、集計期間を任意に設定することができる。操作者が「確定」のボタンを操作すると、制御部２０は、記憶部５５が記憶している小口現金処理のログ情報に基づいて集計を行う。そして、制御部２０は、ターミナル５に集計結果画面Ｄ１０を表示させる（つまり、集計結果を出力する）。
【００８１】
図１７は、集計結果画面Ｄ１０を例示している。集計結果画面Ｄ１０には、指定された期間における受入（つまり、入金）と、支払（つまり、出金）とが、日付順に記載されている。集計結果画面Ｄ１０における摘要は、前述した摘要選択画面Ｄ７において、操作者が選択をした摘要である。また、集計結果画面Ｄ１０には、内訳（科目）が記載されている。記憶部５５は、摘要選択画面Ｄ７において選択される摘要と、科目とを対応付けて記憶しており、制御部２０は、小口現金処理の集計時に、記憶部５５に記憶されている対応情報に基づいて、内訳の情報を追加する。
【００８２】
小口現金集計処理は、貨幣処理システム１を利用している施設の、小口現金の経理処理に合わせて実行されることが多い。つまり、小口現金を月単位で集計することにして、月末又は月初めに、ひと月中に使った小口現金の総額を集計すると共に、それと同額の現金を次のひと月分として補給（つまり、入金）する。
【００８３】
そこで、小口現金集計処理において制御部２０は、予め定められている一ヶ月における小口現金の限度額と、当月中に使った小口現金の総額（「合計」）と、に基づいて、翌月の繰越金（「次月繰越」「前月繰越」）と、翌月分の補給金（「本日補給」）とを演算し、それらの金額も、集計結果画面Ｄ１０に表示する。
【００８４】
制御部２０はまた、操作者の操作に基づいて、集計結果を、第１プリンタ５３及び第２プリンタ５４に印字させる。操作者は、集計結果画面Ｄ１０の右上の「レシート印字」及び「帳票印字」のボタンを操作することによって、集計結果を印字することができる。
【００８５】
図１８は、第１プリンタ５３が印字をする計数結果、つまり、小口現金書留簿Ｐ１を例示している。操作者は、集計結果画面Ｄ１０の右上の「帳票印字」のボタンを操作することによって、第１プリンタ５３に小口現金書留簿Ｐ１を印字させることができる。小口現金書留簿Ｐ１は、集計結果画面Ｄ１０に表示される計数結果と、実質的に同じ構成である。具体的に、小口現金書留簿Ｐ１には、日付、受入金額（つまり、入金金額）、支払金額（つまり、出金金額）、摘要、内訳が記載されていると共に、支払合計金額、内訳毎の支払い合計金額が記載されている。また、小口現金書留簿Ｐ１には、次月繰り越し（つまり、受入から支払の合計額を差し引いた金額）、前月繰越（次月繰越と同じ）、及び、本日補給（支払合計金額と同じ）がそれぞれ記載されている。
【００８６】
操作者（つまり、小口現金の管理を行う担当者）は、印字した小口現金書留簿Ｐ１を見ながら、管理コンピュータ７１、又は、タブレット端末７２若しくはスマートフォン７３を通じて、他のシステム７０に、小口現金書留簿Ｐ１の内容を入力する。つまり、操作者は、小口現金書留簿Ｐ１の内容を手入力する。
【００８７】
尚、小口現金書留簿Ｐ１の内容を、操作者が手入力する代わりに、出納機１０が、小口現金処理の集計結果を、管理コンピュータ７１を介して他のシステム７０に、データ送信するようにしてもよいし、出納機１０が、管理コンピュータ７１を介さずに、他のシステム７０に直接に、データ送信するようにしてもよい。
【００８８】
図１９は、第２プリンタ５４が印字をする計数結果を例示している。操作者が集計結果画面Ｄ１０の右上の「レシート印字」のボタンを操作することによって、第２プリンタ５４は、小口現金書留簿Ｐ１の簡易版であるレシートＰ２を印字する。小口現金の集計結果の出力が二種類、用意されているため、操作者の利便性が向上する。
【００８９】
前述したように、小口現金処理においては、補給が行われる。操作者は、小口現金の補給を、前述の小口現金入金処理を利用して行うことができる、また、操作者は、現金の入金処理を行わないで、小口現金の補給を行うこともできる。
【００９０】
前述の通り、出納機１０は、第１の出納処理時に入出金する貨幣も、第２の出納処理（つまり、小口現金処理）時に入出金する貨幣も、同じ収納部に収納し、同じ収納部から繰り出している。出納機１０は、第１の出納処理時に利用する収納部と、第２出納処理時に利用する収納部とを区別していない。その一方で、出納機１０は、第１の出納処理に係る貨幣の在高（収支現金在高）と、小口現金処理に係る貨幣の在高（小口現金在高）と、を区別して、記憶部５５に記憶している。
【００９１】
そこで、出納機１０の制御部２０は、図２０に概念的に示すように、記憶部５５が記憶している補給前の小口現金在高に対して、補給分を加える一方で、記憶部５５が記憶している補給前の収支現金在高から、補給分を差し引く。制御部２０が、記憶部５５に記憶している在高のデータにおいて、補給分の貨幣情報を、収支現金在高から小口現金在高へと移動させることで、現金の入金処理を行わないで、小口現金の補給を行うことができる。操作者は、現金の管理を行うことがないため、操作者の負担を軽減することができる。
【００９２】
この出納機１０は、第１の出納処理と、第２の出納処理（つまり、小口現金処理）とを、操作者の選択に従って切り替えて実行することができる。従来のような現金を入れる金庫と現金の収支を記入する台帳とを使った管理が不要になるため、小口現金を管理する担当者の負担を軽減することができる。また、手作業により発生する管理ミスを、できるだけ少なくすることもでき、小口現金の管理を適正化することができる。
【００９３】
また、第１の出納処理及び第２の出納処理に対応して収納部を分けないため、出納機１０がコンパクトになると共に、出納機１０の構成が簡略化する。
【００９４】
さらに、第１の出納処理を行うための権限と、第２の出納処理を行うための権限とを区別することにより、出納機１０を用いた、二種類の出納処理の管理のそれぞれを適切に行うことができる。
【００９５】
また、出納機１０は、小口現金処理（第２の出納処理）の集計を行うと共に、集計結果を出力することで、操作者は、第２の出納処理を、容易にかつ適切に管理することができる。
【００９６】
尚、出納機１０は、第２の出納処理において、小口現金の在高に関しニアエンプティ値を予め定めておき、在高がニアエンプティ値を下回ったときには、その旨を操作者に報知をし、操作者に補給を促すようにしてもよい。つまり、出納機１０内の収納部が十分な貨幣を収納していたとしても、出納機１０は、小口現金の在高に基づいて補給を促す報知を行ってもよい。
【００９７】
また、出納機１０は、第１の出納処理を実行するときにターミナル５に表示する画面の態様と、第２の出納処理を実行するときにターミナル５に表示する画面の態様とを異ならせてもよい。具体的には、第２の出納処理（つまり、小口現金処理）の実行中は、「小口現金処理」の文言を画面に表示したり、第１の出納処理時と第２の出納処理時とで画面の背景色や枠の色を異ならせたりしてもよい。こうすることで、操作者は、第１の出納処理を実行しているか、第２の出納処理を実行しているかを一目で認識することができ、操作者の操作ミスを防止することができる。
【００９８】
また、出納機１０は、第１の出納処理における処理可能な金額の上限と、第２の出納処理における処理可能な金額の上限とを個別に設定することが可能に構成してもよい。例えば第２の出納処理（小口現金処理）は、上限を３０万円とし、処理可能な金額は３０万円以下で設定する一方、第１の出納処理は、上限を３０万円よりも高く設定（例えば１０００万円）してもよい。また、例えば第１の出納処理は、上限を定めるのではなく、収納部の空き容量や、在高に基づいて、処理可能な金額を制限してもよい。こうすることで、操作ミスや、不正を抑制することができる。
【００９９】
（担当者情報の配信）
出納機１０の記憶部５５は、出納機１０を使用する操作者の権限に関する情報（つまり、担当者情報）を記憶している。前述したように、出納機１０は、操作者がＩＤカードを用いて認証をした結果と、記憶部５５が記憶している権限情報とに基づいて、当該操作者に許可されている処理を実行する。
【０１００】
図２１に概念的に示すように、出納機１０の記憶部５５は、担当者情報の記憶領域の一部は、所定の操作者が、出納機１０において担当者情報を手入力した担当者情報を記憶するエリアであり、残りは、管理コンピュータ７１が、ネットワークを通じて出納機１０に配信した担当者情報を記憶するエリアである。管理コンピュータ７１は、例えば定期的に、担当者情報を、出納機１０に配信する。出納機１０は、配信された担当者情報に基づいて、記憶部５５が記憶している担当者情報を更新する。尚、担当者情報は、オペレータＩＤ、オペレータの氏名、及び、権限によって構成されている。
【０１０１】
ここで、出納機１０の制御部２０は、担当者情報が配信されたときに、常に、記憶部５５が記憶している担当者情報を更新するのではなく、図２２に示すように、配信された担当者情報に応じて、担当者情報の取り扱いを変更する。
【０１０２】
具体的に、制御部２０は、配信によって取得したオペレータＩＤが、出納機１０の担当者情報に存在しないときには、新たな担当者の情報であるとして、当該担当者情報を、新規に、配信エリアに追加する。
【０１０３】
制御部２０は、取得した担当者情報のオペレータＩＤと、記憶部５５が記憶している担当者情報のオペレータＩＤとが同じである一方で、取得した担当者情報のオペレータの名前と、記憶部５５が記憶している担当者情報のオペレータの名前とが相違しているときには、配信された担当者情報を優先して、制御部２０は、記憶部５５が記憶している担当者情報を、配信された担当者情報に書き替えて、記憶部５５に記憶させる。
【０１０４】
制御部２０は、取得した担当者情報のオペレータＩＤと、記憶部５５が記憶している担当者情報のオペレータＩＤとが同じである一方で、取得した担当者情報の権限と、記憶部５５が記憶している担当者情報の権限とが相違しているときには、配信された担当者情報を優先して、制御部２０は、記憶部５５が記憶している担当者情報を、配信された担当者情報に書き替えて、記憶部５５に記憶させる。
【０１０５】
制御部２０は、取得した担当者情報と、同一の担当者情報が、記憶部５５の手入力エリアに記憶されているときには（但し、取得した担当者情報の権限と、記憶部５５の手入力エリアに記憶されている担当者情報の権限とが同じである）、手入力エリアの担当者情報を削除し、配信された担当者情報を、記憶部５５の配信エリアに記憶させる。
【０１０６】
制御部２０は、取得した担当者情報のオペレータＩＤと、記憶部５５の手入力エリアに記憶されている担当者情報のオペレータＩＤとが同じである一方で、取得した担当者情報の権限と、記憶部５５の手入力エリアに記憶されている担当者情報の権限とが相違しているときには、制御部２０は、担当者情報の更新を自動的に行わずに、担当者情報の更新の可否を、操作者に選択させる。制御部２０は、例えば図２３に示す更新確認画面Ｄ１１を、ターミナル５に表示させる。これは、メッセージ表示に相当する。操作者は、担当者情報を更新するか否かを選択することができる。例えば、担当者が出納機１０を操作することにより、手入力エリアの担当者情報を更新した後、手動更新した情報が反映されていない担当者情報が、管理コンピュータ７１から出納機１０に配信されることが起こり得る。記憶部５５に記憶させる担当者情報を、配信された情報に自動的に更新するのではなく、担当者情報の更新の可否を操作者が選択可能にすることで、利便性を向上させることができる。
【０１０７】
制御部２０は、取得した担当者情報の数が、記憶部５５の配信エリアの容量を超えているときには、制御部２０は、担当者情報の更新を自動的に行わずに、担当者情報の更新の可否を、操作者に選択させる。制御部２０は、ターミナル５に、例えば図２３に示す更新確認画面Ｄ１１を表示させる。操作者が、更新しないことを選択したときには、記憶部５５の配信エリアに記憶されている担当者情報は更新されず、もとのままになる。一方、操作者が更新することを選択したときには、制御部２０は、記憶部５５の配信エリアに記憶されている担当者情報は更新すると共に、配信エリアの容量を超える分の担当者情報を、「未取り込み一覧」として、第１プリンタ５３又は第２プリンタ５４に出力させる。操作者は、出力された「未取り込み一覧」に基づいて、担当者情報を、手入力エリアに手入力することができる。
【０１０８】
制御部２０は、取得した担当者情報がゼロであったときには、図示は省略するが、ターミナル５に、配信された担当者情報がゼロであった旨を表示する。このときに、記憶部５５に記憶されている担当者情報は、更新されない。
【０１０９】
また、制御部２０は、記憶部５５には、担当者情報が記憶されている一方、取得した担当者情報には、当該担当者情報が含まれていないときには、記憶部５５に記憶されていた担当者情報を消去する。
【０１１０】
管理コンピュータ７１から配信された担当者情報に基づいて、出納機１０の記憶部５５が記憶している担当者情報を常に、自動的に更新するのではなく、操作者が、更新の可否を選択可能にすることによって、担当者情報を適切に保つことができるから、利便性を向上させることができる。
【０１１１】
（出納機の回収処理）
貨幣処理システム１において締め上げ処理を行う際には、出納機１０に収納している貨幣の、少なくとも一部を出納機１０の外に払い出す回収処理が行われる。
【０１１２】
具体的に回収処理は、図２４に示す順番に貨幣を回収し、設定した回収金額分の貨幣を、出納機１０の外に払い出す。回収順の一番は、損券等の、出納機１０が処理することができない貨幣が収納されているポスト部（図示省略）である。担当者は、ポスト部から手で貨幣を回収する。回収順の二番は、一括帯封紙幣収納カセット２３１である。担当者は、前述したように、一括帯封紙幣収納カセット２３１を筐体２０２から取り外して、一括帯封紙幣収納カセット２３１内の束紙幣を手で回収する。回収順の三番は、包装硬貨一括箱４６０である。担当者は、前述したように、包装硬貨一括箱４６０を筐体４０２から取り外して、包装硬貨一括箱４６０内の包装硬貨を手で回収する。回収順の四番は、一括硬貨収納庫３４０である。担当者は、前述したように、一括硬貨収納庫３４０を筐体３０２から取り外して、一括硬貨収納庫３４０内のバラ硬貨を手で回収する。これらポスト部、一括帯封紙幣収納カセット２３１、包装硬貨一括箱４６０、及び、一括硬貨収納庫３４０は全て、釣銭準備金として、出納機１０から出金することができない貨幣を収納している。また、一括帯封紙幣収納カセット２３１、包装硬貨一括箱４６０、及び、一括硬貨収納庫３４０はそれぞれ、筐体から取り外すことができるよう構成された収納部である。
【０１１３】
回収順の五番は、筐体から取り外すことができない固定収納部である。具体的に固定収納部は、バラ紙幣処理部１００の金種別紙幣収納庫１４２、帯封紙幣処理部２００の金種別帯封紙幣収納カセット２３０、バラ硬貨処理部３００の金種別硬貨収納庫３４２、及び、包装硬貨処理部４００の金種別包装硬貨収納庫４５０である。これらの固定収納部から繰り出された紙幣又は硬貨（バラ紙幣若しくは束紙幣、又は、バラ硬貨若しくは包装硬貨）は、計数された後、装置の外に払い出される。こうして、操作者は、出納機１０から指定した回収金額分の貨幣を回収することができる。
【０１１４】
ここで、出納機１０においてエラー等が発生し、出納機１０の在高が不定になったときを考える。出納機１０の在高が不定になると、出納機１０は、前述した、一括帯封紙幣収納カセット２３１、包装硬貨一括箱４６０、及び、一括硬貨収納庫３４０を、筐体から取り外すことを禁止するよう構成されている。出納機１０の在高不定を解消するには、少なくとも、在高不定の処理部に収納している貨幣を全て回収する、又は、全て計数し直すことが必要になる。こうした処理を実行すると、長時間を要する。
【０１１５】
在高不定の解消には、時間がかかる一方で、在高が不定のままであると、一括帯封紙幣収納カセット２３１、包装硬貨一括箱４６０、及び、一括硬貨収納庫３４０を、筐体から取り外すことを禁止されるから、図２４に示す順番で、貨幣を回収することができなくなる。
【０１１６】
そこで、この出納機１０は、在高不定によって、一括帯封紙幣収納カセット２３１、包装硬貨一括箱４６０、及び／又は、一括硬貨収納庫３４０からの貨幣の回収を行うことができないときには、それらの収納部から回収する貨幣と同額の貨幣を、固定収納部から回収する（つまり、代替回収）。具体的に、一括帯封紙幣収納カセット２３１からの束紙幣の回収を行うことができないときに、制御部２０は、バラ紙幣処理部１００の金種別紙幣収納庫１４２からバラ紙幣による代替回収を行う。また、包装硬貨一括箱４６０、及び／又は、一括硬貨収納庫３４０から硬貨の回収を行うことができないときに、制御部２０は、バラ硬貨処理部３００の金種別硬貨収納庫３４２からバラ硬貨による代替回収を行う。代替回収は、払出時に計数を行うため、出納機１０は、在高不定のままであっても、回収処理を速やかに完了することができる。その結果、締め上げ処理も速やかに完了することができる。
【０１１７】
尚、バラ紙幣処理部１００及び帯封紙幣処理部２００の両方において在高不定が発生していて、代替回収を行うことができないときには、制御部２０は、エラーメッセージをターミナル５に表示させる。
【０１１８】
また、一括帯封紙幣収納カセット２３１、包装硬貨一括箱４６０、及び／又は、一括硬貨収納庫３４０から回収することができなかった貨幣は、締め上げ処理の完了後に、全回収処理によって回収してもよい。
【０１１９】
（回収貨幣の自動計算）
前述した回収処理を実行するときには、釣銭準備金として必要な貨幣が出納機１０内に残るように貨幣が回収される場合がある（残置回収）。
【０１２０】
従来の出納機は、操作者に、回収する各金種の枚数を設定させていた。具体的に出納機は、回収処理時に、（１）当日分の収入金額合計と、（２）金種毎の、回収可能な枚数と、（３）計数回収をすることができないユニット（ポスト部、一括帯封紙幣収納カセット２３１、包装硬貨一括箱４６０、及び、一括硬貨収納庫３４０）に収納されていて回収が必要な枚数と、を、ターミナルに表示し、操作者は、（１）から（３）を差し引いた金額がゼロになるよう、（２）の回収可能な枚数を超えないようにかつ、釣銭として使用することができない金種（万、二千、五、一）は、全て回収されるよう、各金種の枚数を設定していた。これは、操作者の負担が大きい。
【０１２１】
これに対し、前記の出納機１０は、回収処理時の、金種別の回収枚数を、自動的に計算するよう構成されている。図２５は、回収処理時に、制御部２０がターミナル５に表示させる明細画面Ｄ１２を例示している。この画面は、自動計算された金種別の回収枚数を表示すると共に、操作者が、金種別の回収枚数を修正することができる画面である。
【０１２２】
当該画面Ｄ１２には、回収金額に相当する当日分の収入金額合計が記載されていると共に、金種毎に、回収可能な枚数（回収可能在高）と、計数回収をすることができないユニットに収納されているため回収が必要な枚数（「ポスト＋一括」）とが記載されている。操作者が「自動計算」のボタンを操作すると、制御部２０は、金種毎の回収枚数を自動的に計算し、「回収明細入力」の欄に、金種毎の枚数を表示する。これにより、操作者の負担を軽減し、作業の効率化を図ることができる。
【０１２３】
制御部２０は、予め定めた計算アルゴリズムに従って、金種毎の枚数を計算する。計算アルゴリズムには、前述したように、釣銭として使用することができない金種（万、二千、五、一）は、全て回収されるように設定されていると共に、回収枚数が最小となるよう、高額金種から優先的に回収をするように設定されている。
【０１２４】
前述の通り、操作者は、明細画面Ｄ１２において、「回収明細入力」に記載されている金種毎の枚数（つまり、自動計算された金種毎の枚数）を、手入力により、修正することができる。こうすることで、操作者は、出納機１０に残置する貨幣の金種毎の枚数を、適宜、調整することができる。尚、前述した計算アルゴリズムに、金種毎の残置枚数を考慮する設定を含めるようにしてもよい。そうすれば、操作者の負担をさらに軽減することができる。
【０１２５】
（出金パターンの表示）
例えば釣銭準備金の出金処理を行うときには、予め定めた出金パターン（つまり、金種別の出金枚数）に従って出金を行うことが多い。操作者は、出納機１０において、予め定めた出金パターンを、複数、登録することができる。例えば図２６に例示するように、出金処理時にターミナル５に表示される画面Ｄ１３、Ｄ１４の右上には、「パターン」ボタンが設けられている。操作者が、「パターン」ボタンを操作すると、予め登録している出金パターンが、オーバーレイ表示される。
【０１２６】
ここで、出金パターンは、一列のリスト状に表示されるが、表示スペースの関係から、登録されている全ての出金パターンを一度に表示することができず、スクロールをすることによって、全ての出金パターンを表示することができる。従来の出納機は、出金パターンの表示順は、出金パターンの登録順で固定されていたが、この場合、よく利用する出金パターンが、スクロールをしなければ画面に表示されないこともあり、利便性を改善する余地がある。
【０１２７】
これに対し、この出納機１０は、出金パターンの表示順を、予め定めたルールに従って入れ替えるよう構成されている。制御部２０は、出金パターンを、例えば使用頻度が高い順に並べて表示をする。こうすることで、使用頻度が高い出金パターンは、スクロールをしなくても、表示されるようになり、操作者の利便性が高くなる。
【０１２８】
尚、使用頻度は、例えば操作者毎に、使用頻度の統計をとって記憶しておき、認証データに基づいて特定した操作者の使用頻度に基づいて、表示順を入れ替えてもよい。また、例えば時間帯毎に、使用頻度の統計をとり、出金処理を行おうとする時間帯に基づいて、表示順を入れ替えてもよい。
【０１２９】
尚、操作者が、「パターン」ボタンを操作することにより予め登録している出金パターンが表示されるときに、使用頻度の最も高い登録パターンが、予め選択されているよう構成してもよい。
【０１３０】
さらに、過去に行った出金処理のデータに基づいて、登録パターンとして登録されていないものの、使用頻度の高い出金パターンが存在しているときには、操作者が、「パターン」ボタンを操作したときに、登録パターンと共に、使用頻度の高い、非登録の出金パターンを、表示するようにしてもよい。また、そうした使用頻度の高い、非登録の出金パターンを、自動的に又は操作者の操作によって、登録することができるようにしてもよい。
【０１３１】
画面Ｄ１３において、操作者がいずれかのパターンを選択すると、出金小計画面Ｄ１４において、選択したパターンに対応する出金金額等が自動的に入力される。
【０１３２】
（他の実施形態）
尚、前記の構成では、出納機１０の制御部２０が、第１の出納処理と第２の出納処理とを実行するよう構成しているが、出納機１０に接続された管理コンピュータ７１が、出納機１０を用いながら、第１の出納処理と第２の出納処理とを実行するよう構成してもよい。この場合、管理コンピュータ７１が、第１の出納処理に係る貨幣の入出金の情報、及び、第２の出納処理に係る貨幣の入出金の情報を記憶してもよい。
【０１３３】
また、ここに開示する技術は、出納機１０に適用することに限らず、様々な貨幣処理装置（例えば、売り上げ入金機等）に適用することが可能である。
【０１３４】
また、第２の出納処理は、前述した小口現金処理に限らない。
【符号の説明】
【０１３５】
１  貨幣処理システム
１０  出納機
１４０  一括紙幣収納庫（収納部）
１４２  金種別紙幣収納庫（収納部）
２０  制御部
２３０  金種別帯封紙幣収納カセット（収納部）
２３１  一括帯封紙幣収納カセット（収納部）
３４０  一括硬貨収納庫（収納部）
３４２  金種別硬貨収納庫（収納部）
４５０  金種別包装硬貨収納庫（収納部）
４６０  包装硬貨一括箱（収納部）
５  ターミナル（認証部）
７１  管理コンピュータ（管理装置）
【図１】
2020004228.tif 000003
【図２】
2020004228.tif 000004
【図３】
2020004228.tif 000005
【図４】
2020004228.tif 000006
【図５】
2020004228.tif 000007
【図６】
2020004228.tif 000008
【図７Ａ】
2020004228.tif 000009
【図７Ｂ】
2020004228.tif 000010
【図８】
2020004228.tif 000011
【図９】
2020004228.tif 000012
【図１０】
2020004228.tif 000013
【図１１】
2020004228.tif 000014
【図１２】
2020004228.tif 000015
【図１３】
2020004228.tif 000016
【図１４】
2020004228.tif 000017
【図１５】
2020004228.tif 000018
【図１６】
2020004228.tif 000019
【図１７】
2020004228.tif 000020
【図１８】
2020004228.tif 000021
【図１９】
2020004228.tif 000022
【図２０】
2020004228.tif 000023
【図２１】
2020004228.tif 000024
【図２２】
2020004228.tif 000025
【図２３】
2020004228.tif 000026
【図２４】
2020004228.tif 000027
【図２５】
2020004228.tif 000028
【図２６】
2020004228.tif 000029